(57)【要約】【課題】アイス飲料抽出モードでは氷の融水で薄められることがなく、ホット飲料抽出モードでは抽出用ロートに注ぐお湯の注ぎ方を適切にする。【解決手段】本体１０に選択的に保持されるスキャッタ７０およびアイス飲料抽出ロート５０と；本体１０に選択的に保持されるスキャッタまたはアイス飲料抽出ロート５０を回転駆動する回転駆動部２２と、ホット飲料抽出モードで本体１０に保持されスキャッタ７０が滴下するお湯を受けるホット飲料抽出ロート７６と；アイス飲料抽出モードで本体１０に保持されアイス飲料抽出ロート５０からホット抽出液を受ける抽出液収容部５２Ａおよびこの抽出液を冷やす冷却液タンク５２Ｂと；抽出液収容部５２Ａおよび冷却液タンク５２Ｂの少なくとも一方内に延出し回転駆動部２２によって駆動される撹拌羽根５０Ａ、５０Ｂと；を備える。【選択図】図１
2007054609.tif 000002
【特許請求の範囲】
【請求項１】
ホット飲料抽出モードと、ホット抽出液を冷却液で冷却するアイス飲料抽出モードとを選択可能にした飲料作成器において、
上部にお湯の注出口が開口する本体と；
この本体に選択的に保持されるスキャッタおよびアイス飲料抽出用ロートと；
前記本体に設けられ前記本体に選択的に保持されるスキャッタまたはアイス飲料抽出用ロートを垂直な回転中心軸を中心にして回転駆動する回転駆動部と、
ホット飲料抽出モードで前記本体に保持され前記スキャッタが前記お湯の注出口から受取り分散させて滴下するお湯を受けるホット飲料抽出用ロートと；
アイス飲料抽出モードで前記本体に保持され前記アイス飲料抽出用ロートの下方でホット抽出液を受ける抽出液収容部およびこの抽出液を冷やす冷却液タンクと；
抽出液収容部および冷却液タンクの少なくとも一方内に延出し前記回転駆動部によって駆動される撹拌羽根と；
を備え、ホット飲料抽出モードでは前記ホット飲料抽出用ロートからホット抽出液を容器に受け、アイス飲料抽出モードでは前記冷却液タンクで冷却したアイス飲料液を前記抽出液収容部から容器に移すことを特徴とする飲料作成器。
【請求項２】
スキャッタおよびアイス飲料抽出用ロートは本体に設けた垂直かつ下向きの駆動軸に選択的に固定可能であり、前記駆動軸は本体に設けた回転駆動部により回転駆動される請求項１の飲料作成器。
【請求項３】
スキャッタおよびアイス飲料抽出用ロートは共通の接続具を介して駆動軸に選択的に固定される請求項２の飲料作成器。
【請求項４】
接続具はお湯の注出口から受けたお湯をこの接続具に接続されたスキャッタまたはアイス飲料抽出用ロートに滴下するお湯受け皿である請求項３の飲料作成器。
【請求項５】
お湯受け皿には回転中心軸から偏心した位置にお湯の滴下孔を有する請求項４の飲料作成器。
【請求項６】
お湯受け皿は略逆傘状であり、回転中心軸からの距離が異なる位置に複数のお湯の滴下孔を有する請求項５の飲料作成器。
【請求項７】
抽出液収容部と冷却液タンクとは一体化されて冷却器を形成し、冷却液タンクの冷却液は抽出液収容部の外周に接触している請求項１の飲料作成器。
【請求項８】
冷却器の抽出液収容部は駆動軸の回転中心軸を含む有底円筒状であり、冷却液タンクはこの抽出液タンクを囲む環状であり、アイス飲料抽出用ロートにはこれら抽出液収容部および冷却液タンクの少なくとも一方内に延出する撹拌羽根が固定されている請求項７の飲料作成器。
【請求項９】
スキャッタには、深さが異なる複数の位置に滴下孔が形成され、深い位置の滴下孔が浅い位置の滴下孔よりも回転中心軸に近く配設されている請求項１の飲料作成器。
【請求項１０】
スキャッタには、駆動軸の回転中心軸に近い深い凹部と、前記回転中心軸から遠い浅い凹部が形成され、各凹部の底を略階段状とし、深い凹部の底に形成するお湯の滴下孔を浅い凹部の底に形成するお湯の滴下孔より前記回転中心軸に近くした請求項９の飲料作成器。
【請求項１１】
スキャッタに形成された深い位置の滴下孔の孔径は、浅い位置の滴下孔の孔径よりも小さい請求項９または１０の飲料作成器。
【請求項１２】
請求項８において、アイス飲料抽出用ロートには抽出液収容部内および冷却液タンク内にのびる撹拌羽根が固定され、冷却液タンク内にのびる撹拌羽根は３本以上あってそれらの下端は抽出液収容部内にのびる撹拌羽根の下端よりも下方に位置する飲料作成器。
【請求項１３】
ホット飲料抽出用ロートの底に下方から開弁可能なホット飲料用排出弁を持ち、飲料液を受ける容器の蓋板にはこの容器を本体の底部に載置した状態で前記排出弁を開く凸部が形成されている請求項１２の飲料作成器。
【請求項１４】
冷却器は抽出液収容部の底にアイス飲料用排出弁を持ち、この排出弁は冷却器の外周から径方向外側に突出する操作子により開弁可能である請求項７の飲料作成器。
【請求項１５】
ホット飲料抽出用ロートは、本体にロック可能である請求項１３の飲料作成器。
【請求項１６】
請求項１において、水タンクから供給される水を加熱してお湯の注出口へ導く電気ヒータと、このヒータの温度および加熱時間を制御する制御部と、この制御部に対して抽出処理量を入力する入力手段とを備え、
前記制御部は抽出処理量に対して加熱時間を変化させることによりお湯の注出量を制御する飲料作成器。
【請求項１７】
請求項１６において、本体の底部と仕切壁と上壁部とは縦方向に長い起立部で一体に結合され、前記起立部には１つの水タンクが装填されている飲料作成器。
【請求項１８】
請求項１７において、制御部はホット飲料抽出モードでのヒータ加熱設定温度をアイスコーヒー抽出モードでのヒータ加熱設定温度より高く設定する飲料作成器。
【請求項１９】
本体側の水タンク装填室の下部に水タンクの下部が上方からほぼ垂直に係入して水タンクを保持する凹部が形成され、水タンクと水タンク装填室には水タンクの上方移動時に互いに当接して水タンクの垂直上方移動量を一定範囲に制限する段部が形成され、水タンクの上部をこの位置から外側へ傾けながら取外すようにした請求項１７の飲料作成器。
【請求項２０】
請求項１において、アイス飲料抽出用ロートはホット飲料抽出用ロートを兼ねている飲料作成器。
【請求項２１】
請求項２０において、ホット飲料抽出用ロートを兼ねるアイス飲料抽出用ロートには、抽出液の排出弁が設けられると共に、撹拌羽根が着脱可能であり、前記排出弁は前記撹拌羽根の装着によって開かれる飲料作成器。
【発明の詳細な説明】
【技術分野】
【０００１】
この発明は、コーヒー粉などを用いてホットコーヒーなどのホット飲料を抽出するホット飲料抽出モードと、抽出したホット飲料を冷却液で冷却するアイス飲料抽出モードとを選択可能にした飲料作成器に関するものである。
【背景技術】
【０００２】
コーヒー粉を入れたコーヒーロートに高温のお湯を注いでコーヒーを抽出し、滴下したコーヒー液を集めるドリップ式、例えばペーパーフィルタを用いたドリップ式などのいわゆるレギュラーコーヒー用のコーヒーメーカーが公知である。またこのように抽出した熱いコーヒー（ホットコーヒー液）を氷によって冷却するアイスコーヒー抽出方法も公知である。
【０００３】
【特許文献１】特開昭６１−１７９１１５
【特許文献２】実開昭５９−７７３２
【特許文献３】特開２００５−１４３７０２
【０００４】
特許文献１，２には、水タンクの水をヒータで加熱した高温のお湯を、コーヒー粉を入れたチャンバ（コーヒーロート）に注ぎ、チャンバから滴下する高温のコーヒー液を氷を入れた氷チャンバ内に通してその下のデカンタに集めるものが示されている。すなわち高温のコーヒー液を氷に注ぐことによって冷却するものである。
【０００５】
特許文献３には、ホットコーヒー抽出モードと、アイスコーヒー抽出モードとを選択可能とし、アイスコーヒー抽出モードでは、抽出したホットコーヒー液をコーヒー液タンクに受け、このコーヒー液タンクを外側から氷水で冷やすことによりアイスコーヒーにするものが示されている。この場合にコーヒー液タンクの外周を氷水タンクを囲んだ冷却器を用い、コーヒー液タンクの底に設けた排出弁を開くことによってコーヒー液をジャグに流下させる。
【０００６】
またこの特許文献３には、本体の上壁部下面にコーヒーロートを着脱可能かつ回転駆動可能に取付け、コーヒーロートを回転させながらコーヒーを抽出するものが示されている。ここにコーヒーロートはアイスコーヒー抽出モードとホットコーヒー抽出モードの両モードで使用する。このためホットコーヒー抽出モードでは、氷水タンクに氷を入れずにコーヒー液タンクにホットコーヒーを受け、ジャグに流下させるものである。
【発明の開示】
【発明が解決しようとする課題】
【０００７】
特許文献１，２に示されたものは、高温のコーヒー液を直接氷に接触させて冷却するため、冷却したコーヒー液が氷の融水で薄められることになる。このためアイスコーヒーの風味が低下し、また氷の味や臭いがコーヒー液に移るという問題がある。
【０００８】
特許文献３に示されたものは、アイスコーヒー抽出モードで抽出したコーヒー液を氷に直接注ぐものではないから、コーヒーが氷の融水で薄められることはない。しかしホットコーヒー抽出モードでは、コーヒー抽出ロートから滴下するコーヒー液を冷却器のコーヒー液タンクに貯めてからジャグに流下させるため、氷水タンクに氷水が入っていなくてもコーヒーが冷め易いという問題がある。
【０００９】
また特にホットコーヒー抽出時には、コーヒーロートに注ぐお湯の注ぎ方が香り、味や風味に大きく影響することが知られている。このためホットコーヒー抽出時にはコーヒーロートの中の泡の発生状況を確認しながら抽出することもコーヒー通にとって大きな楽しみとなっている。そこでこの時のコーヒーロートの中の様子を外から確認できたり、お湯の注ぎ方を適切に設定できることが望ましい。なおアイスコーヒーでは香りがホットコーヒー程強くないから、このようなお湯の注ぎ方はそれほど重視されないものである。
【００１０】
この発明はこのような事情に鑑みなされたものであり、アイスコーヒーなどのアイス飲料の抽出モードでは氷の融水で薄められることがなく、風味に富んだおいしいアイス飲料を簡単に入れることができ、ホットコーヒーなどのホット飲料の抽出モードではホット飲料が冷めにくくし、抽出用ロートに注ぐお湯の注ぎ方を適切にしかつ抽出用ロートの中の様子を確認する楽しみを得ることができるようにした飲料作成器を提供することを目的とする。
【課題を解決するための手段】
【００１１】
この発明によればこの目的は、ホット飲料抽出モードとホット抽出液を冷却液で冷却するアイス飲料抽出モードとを選択可能にした飲料作成器において、上部にお湯の注出口が開口する本体と；この本体に選択的に保持されるスキャッタおよびアイス飲料抽出用ロートと；前記本体に設けられ前記本体に選択的に保持されるスキャッタまたはアイス飲料抽出用ロートを垂直な回転中心軸を中心にして回転駆動する回転駆動部と、ホット飲料抽出モードで前記本体に保持され前記スキャッタが前記お湯の注出口から受取り分散させて滴下するお湯を受けるホット飲料抽出用ロートと；アイス飲料抽出モードで前記本体に保持され前記アイス飲料抽出用ロートの下方でホット抽出液を受ける抽出液収容部およびこの抽出液を冷やす冷却液タンクと；抽出液収容部および冷却液タンクの少なくとも一方内に延出し前記回転駆動部によって駆動される撹拌羽根と；を備え、ホット飲料抽出モードでは前記ホット飲料抽出用ロートからホット抽出液を容器に受け、アイス飲料抽出モードでは前記冷却液タンクで冷却したアイス飲料液を前記抽出液収容部から容器に移すことを特徴とする飲料作成器、により達成される。
【発明の効果】
【００１２】
本体にスキャッタとアイス飲料抽出用ロートとを選択的に保持可能にした。そしてホット飲料抽出モードではスキャッタを回転し、ホット飲料抽出用ロートを本体に保持し、このロートから滴下するホット飲料を他の容器、例えば本体の底部に載せたカップやジャグに受ける。このため回転するスキャッタによってロートの中にお湯を適切な注ぎ方で全体にほぼ均等に注ぐことができ、香り高いうまいホット飲料を抽出できる。またロートとスキャッタとの間にはロートの中を外側からのぞく間隙ができるので、ロートの中の様子を外から見ることができ、楽しみが大きくなる。さらに、ロートから滴下する抽出液は直接容器（カップなど）やジャグに入るので、抽出液が冷めにくくなる。
【００１３】
アイス飲料抽出モードでは、アイス飲料抽出用ロートを回転し、このロートの下方で本体に保持した抽出液収容部を冷却液タンクで冷却する。この時冷却液タンクには予め冷蔵庫などで冷却した冷却液を入れておく。ロートは回転しているので、お湯がロートにほぼ均等に分散されて注がれる。またロートから滴下するホット抽出液は抽出液収容部に貯まり、冷却液タンクの冷却液によって冷却されるので、抽出液は氷水で薄められることなく冷却される。
【００１４】
また抽出液収容部および冷却液タンクの少なくとも一方は撹拌羽根で攪拌するので冷却効果が向上する。この撹拌羽根はスキャッタの回転駆動部によって駆動されるから、回転駆動部を共用でき、構成が簡単になる。抽出液収容部に貯まったアイス飲料は、抽出液収容部からその下方に置いた容器（カップなど）やジャグに流下させることができる。このアイス抽出液は氷水で薄まっていないので、風味に富みおいしいアイス飲料となる。
【発明を実施するための最良の形態】
【００１５】
回転駆動部は、スキャッタまたはアイス抽出用ロートを垂直軸を中心にして一定方向に回転するものが望ましいが、一定時間毎に反転するものや、一定回転量（１回転以上または１回転以下でもよい）毎に反転するものでもよい。スキャッタまたはアイス飲料抽出用ロートは本体側に設けた垂直かつ下向きの駆動軸に選択的に固定可能とし、この駆動軸を回転駆動部によって回転駆動するように構成することができる（請求項２）。スキャッタおよびアイス飲料抽出用ロートは駆動軸に直接係合可能あるいは着脱可能にしてもよいが、接続具を介在させてもよい（請求項３）。
【００１６】
接続具としては、お湯受け皿を用いるのがよい（請求項４）。すなわちお湯受け皿を駆動軸にチャックなどで着脱可能とし、スキャッタまたはアイス飲料抽出用ロートをこのお湯受け皿に交換可能に装着するものである。スキャッタ、ロートあるいはお湯受け皿は、駆動軸に回動伝達可能に係合させ、駆動軸からの抜け止めは他の手段によって行ってもよい。
【００１７】
ここにお湯受け皿は本体の上部から供給されるお湯を受けてスキャッタまたはアイス飲料抽出用ロートに分散させて導くものである。従ってお湯の滴下孔は回転中心軸から偏心した位置に設けるのがよい（請求項５）。例えば略逆傘状として複数のお湯の滴下孔を回転中心軸からの距離が異なる位置に設け、滴下孔の位置や孔径を適切に設定することにより、お湯の分散状態を変化させることができる（請求項６）。
【００１８】
抽出液収容部と冷却液タンクとは一体化して冷却器を形成し、この冷却器を本体に保持可能とすることができる。この場合冷却液タンクの冷却液が抽出液収容部に外側から（外周から）接触して中の抽出液を冷却するように構成することができる（請求項７）。
【００１９】
冷却器は、抽出液収容部と、この抽出液収容部を外側から（外周から）冷やす冷却液タンクとを備えるものであるが、抽出液収容部を有底円筒状とし、冷却液タンクはこの外側を環状に囲む同心円状とすることができる。この場合には、アイス飲料用ロートの下面に、これら抽出液収容部内と冷却液タンク内の少なくとも一方に上方から下方に向かって延びる撹拌羽根を固定しておくことができる（請求項８）。
【００２０】
抽出液収容部の底にはアイス飲料用排出弁を設けてもよい。この排出弁は冷却器の外周面に臨む操作子を側方から操作する（押す、回すなど）ことによって開閉するのがよい。間違って排出弁を開くのを防ぐためである（請求項１４）。
【００２１】
スキャッタには、深さが異なる複数の位置に滴下孔を形成し、深い位置の滴下孔を回転中心軸に近く配置し、浅い位置の滴下孔を回転中心軸から遠く配置するのがよい。このようにすれば、回転中心付近にお湯が先行して注がれ、回転中心から遠い位置にお湯が遅れて注がれるように、お湯の注入位置に時間差を持たせることができ、お湯を適切に分配しながらロートに注ぐことが可能になる（請求項９）。
【００２２】
このようなスキャッタは、その底面を回転中心側が深く外周側が浅くなる斜面で形成し、この底面の異なる高さであってかつ回転中心軸からの距離が異なる位置に滴下孔を形成したものとすることができる。コーヒー粉などの抽出原料となる粉の量と抽出時間とを関連づけて、ロートの抽出原料粉が無いところにはお湯が滴下しないようにすることもできる。
【００２３】
スキャッタは底面に、深い部分（凹部）と浅い部分（凹部）とを形成してこれらの凹部の底を略階段状にし、それぞれの凹部の底に互いに駆動軸回転中心からの半径位置が異なるお湯の滴下孔を設けることができる。この場合、深い凹部は駆動軸の回転中心に近くし、浅い凹部は駆動軸の回転中心から遠くなるようにそれぞれの位置を決め、深い凹部の滴下孔を浅い凹部の滴下孔よりも駆動軸の回転中心に近くするのがよい。このようにすれば、お湯は最初ロートの中央付近に注がれ、その後一定の時間遅れをもってロートの周辺付近にも注がれるように注ぎ方が調整され、最適な注ぎ方にすることができる（請求項１０）。
【００２４】
滴下孔は深い位置と浅い位置にそれぞれ１つずつ設けることができる。この場合深い位置の滴下孔の孔径は浅い位置の孔径よりも小さくするのがよい。深い位置と浅い位置とにお湯が貯まる時には、お湯の液面は共通なので深い位置と浅い位置の滴下孔に加わる液圧の差が生じ、浅い位置の滴下孔からの滴下量が著しく少なくなるのを防ぐためである（請求項１１）。
【００２５】
アイス飲料抽出用ロートには、抽出液収容部と冷却液タンクとの両方にそれぞれのびる撹拌羽根を固設し、冷却液タンク内にのびる撹拌羽根は３本以上とし、それらの下端はコーヒー液収容部用の撹拌羽根の下端よりも下方に位置させるのが望ましい。このようにすればアイス飲料抽出用ロートをテーブルに置く際に、冷却液タンク用の撹拌羽根の下端がテーブルに当たり、抽出液収容部用の撹拌羽根の下端はテーブルから離れて浮いている。このため抽出液に漬かる撹拌羽根が汚れない（請求項１２）。
【００２６】
ホット飲料抽出用ロートの底には、下方から開弁可能な排出弁を設け、このロートからホット飲料を受ける容器（例えばジャグ）の蓋板には、この容器を本体の底部に装填した状態でこの排出弁を開く凸部を設けておくのがよい。この場合は容器を引き出した時にはロートの排出弁が閉じ、ロートから抽出液が滴下するのを防ぐことができる（請求項１３）。またホット飲料抽出用ロートは本体にロック可能とすれば、容器の蓋板の凸部がロートの排出弁を開く時に、ロートが浮き上がったり移動したりせず、安定する（請求項１５）。
【００２７】
この飲料作成器は、電気ヒータと、制御部と、抽出処理量（何杯分抽出するか）を入力する入力手段とを備え、制御部は抽出処理量に対応するヒーター加熱時間を変化させることによってお湯の出湯量を制御することができる（請求項１６）。この場合、ヒータ温度を一定にして加熱時間だけを変化させてもよいし、ホットとアイスに対して出湯量を変化させてもよい。
【００２８】
アイス飲料には氷を加えることが多いので、アイス飲料抽出時の出湯速度をホット飲料抽出時よりも遅くすることにより濃く抽出することが考えられる。この場合、ヒーター温度を下げることにより出湯速度（お湯の流出速度）を下げることができる（請求項１８）。水タンクは本体の起立部に１つ持ち、制御部はヒーターの温度と加熱時間によってホットとアイスの抽出に最適なお湯の量を送り出すように制御することができる。
【００２９】
ここに水タンクはその下部を本体側の水タンク装填室の下部に設けた凹部にほぼ垂直下向きに係入して保持するものとすることができる（請求項１７）。この場合に水タンクと水タンク装填室には、水タンクを垂直上方に一定寸法移動した時に互いに当接する段部をそれぞれに形成し、これら段部同志を当接させた状態で水タンクの上部を水タンク装填室から外側へ引き出すように傾けて水タンクを取外すようにするのがよい（請求項１９）。
【００３０】
このようにすれば水タンク下部を水タンク装填室の凹部から抜く時の衝撃が互いの段部同志を衝突させることによって吸収され、水タンクが意に反して過大に移動したり中に残っている水が周囲に飛散したりするのを防ぐことができる。
【００３１】
アイス飲料抽出用ロートとホット飲料抽出用ロートとは兼用可能にすることができる（請求項２０）。このロートをアイス飲料抽出用として用いる場合に撹拌羽根を設けることがあるので、この撹拌羽根はロートに対して着脱可能としておくのがよい。またこのロートの底に抽出液の排出弁を設けるのであれば、アイス飲料抽出時にはこの排出弁を開く必要がある。そのためには撹拌羽根の装着によってこの排出弁を自動的に開くようにするのがよい（請求項２１）。
【実施例１】
【００３２】
図１は本発明の一実施例であるコーヒーメーカーのアイスコーヒー抽出モードを示す側断面図、図２は同じく背面図、図３は同じく平面図である。図４は同じくホットコーヒー抽出モードを示す側断面図である。図５はこのコーヒーメーカーの本体部分の分解斜視図、図６，７，８は同じく各部の分解斜視図、図９は全体の概念図、図１０は駆動軸のチャック付近の拡大断面図、図１１はスキャッタの断面図である。
【００３３】
これらの図において、符号１０は本体であり、底部１２と、仕切壁１４と、上壁部１６とを垂直な起立部１８で結合したものである。なお起立部１８は図５に示すように、下ケース１８Ａ、中ケース１８Ｂ、上ケース１８Ｃとを上下方向に重ねて結合したものである。下ケース１８Ａには底部１２が一体に形成され、底面には底板２０（図５）が固定されている。
【００３４】
下ケース１８Ａと中ケース１８Ｂとの結合面間には仕切壁１４の一端が挟持され、仕切板１４の他端が底部１２の上方に延出している。上ケース１８Ｃは一端が中ケース１８Ｂの上面に固定され、他端が仕切壁１４の上方に延出する上壁部１６となっている。なお上ケース１８Ｃには上から上ケース蓋１８Ｄが被せられ、両者の間に回転駆動部となる減速モータ２２が装填されている。
【００３５】
この減速モータ２２は減速歯車（図示せず）を内蔵し、出力軸である駆動軸２４（図９，１０参照）は垂直な回転中心軸Ａ（図９）を中心にして低速で回転する。この駆動軸２４にはチャック２６（図６）によって後記お湯受け皿３０を着脱可能に結合する。このチャック２６は上壁部１６の上面に臨む着脱釦２８により開閉される。すなわちモータ２２は平面視円形であり（図５参照）、このモータ２２が装填されるモータカバー２２Ａの上方を蓋状の着脱釦２８が囲む。
【００３６】
この着脱釦２８はコイルばね２８Ａによって上向きに復帰する一方、モーターカバー２２Ａの外側を通って下方へのびる複数の突起２８Ｂ（図５）がチャック２６の係合爪２６Ａ、２６Ａに係合している。そして着脱釦２８を下向きに押すと、突起２８Ｂが係合爪２６Ａ、２６Ａを外側へ開くことによりチャック２６を開く（すなわちお湯受け皿３０を開放する）ものである。ここに駆動軸２４の下端には６角柱状のブッシュ２４Ａが固定される一方、お湯受け皿３０のボス部３０Ａにはこのブッシュ２４Ａが係入する６角孔３０Ｂ（図１０）が形成されている。このボス部３０Ａの外周には環状の溝３０Ｃが形成され、この環状溝３０Ｃに前記係合爪２６Ａ、２６Ａの半円弧状の先端部が係脱する。
【００３７】
本体１０の底部１２の中には、電気ヒータ３２が組込まれている。電気ヒータ３２は後記水タンク４２から水ホース３４（図５）を介して導かれる水を加熱し高温の（沸騰した）お湯として起立部１８内を通る湯ホース３６および湯パイプ３８によって上壁部１６に送る。このお湯（熱湯）は上壁部１６の下面に駆動軸２４に隣接して設けた活性炭フィルタ４０を通して前記お湯受け皿３０に導かれる。
【００３８】
お湯受け皿３０は図１０から明らかなように側断面が略逆傘状であり、その上面には放射方向の多数のリブが形成されると共に、各リブの間にお湯の滴下孔３０Ｄが形成されている。この滴下孔３０Ｄの位置すなわちボス部３０Ａからの距離を適切に設定したり、この距離を各滴下孔３０Ｄごとに変化させることにより、このお湯受け皿３０に取付けられる後記アイスコーヒー抽出用ロート５０に対するお湯の滴下位置を変えることができる。
【００３９】
なおヒータ３２は金属パイプに発熱体３２Ａ（図５）を巻き付けて略Ｕ字状に折曲したもので、その上面には円形の金属板３２Ｂが組付けられている。この金属板３２Ｂは底部１２に設けた円形の開口部１２Ａに下方から嵌め込まれている。この開口部１２Ａに臨む金属板３２Ｂには後記するジャグ６６が載せられ、ホットコーヒー抽出モードではこのジャグ６６を保温する。
【００４０】
次に水タンク４２を説明する。水タンク４２は図１，４に示すように本体１０の中ケース１８Ｂの外側面に装填される。すなわち図３に示すように、起立部１８は平面視で略半円形であり、水タンク４２は平断面が円柱の一部を縦割りにして円弧状の外側面が起立部１８の外側面にほぼ滑らかに沿う形状となっている。
【００４１】
この水タンク４２は、中ケース１８Ｂに設けた外側面に開く水タンク装填室４４に装填される。この水タンク装填室４４の底となる仕切壁１４には平面視略台形の凹部４４Ａ（図５、９参照）が形成される一方、水タンク４２の底にはこの凹部４４Ａに上方からほぼ垂直に係入可能な凸部４２Ａが形成されている（図７）。また水タンク４２の上面には内側（水タンク装填室４４の奥側）に段部４２Ｂが形成される一方、水タンク４２の上面の外側は水タンク装填室４４の外側に膨出している。なお水タンク４２の上面は蓋４２Ｃ（図７）である。
【００４２】
水タンク装填室４４には、この水タンク４２側の段部４２Ｂの上方に一定寸法すなわち前記凹部４４Ａの深さより僅かに大きい寸法離れて対向する段部４４Ｂが形成されている。このため水タンク４２は図１，４の装填状態から上方へ引き上げると段部４２Ｂが装填室４４の段部４４Ｂに下方から当接してその上方移動が制限される。この状態で水タンク４２の上部を外側へ傾けるようにして段部４２Ｂを段部４４Ｂから解放すれば、底の凸部４２Ａを凹部４４Ａから脱出させつつ、水タンク４２を斜上方へ引き上げることができる。
【００４３】
なお水タンク４２の平面視円弧状の外側面には、取手４２Ｃが設けられている。また下ケース１８Ａにはこの水タンク４２の下方に位置する取手１０Ａが設けられている。
【００４４】
水タンク４２の底の凸部４２Ａには、出水弁４６が設けられている（図７、９）。この出水弁４６はコイルばねにより常には下方へ移動して出水路を閉じる一方、水タンク４２を水タンク装填室４４に装填した状態では、凹部４４Ａに設けた突起４４Ｃによって押し上げられ、出水路を開く。なお凸部４２Ａと凹部４４Ａとの対向面間は気密にシールされているため、水タンク４２の水は凹部４４Ａ内を満たす量だけ流出し、凹部４４Ａの外へ流出することはない。
【００４５】
なお実際には水タンク装填室４４には突起４４Ｃを囲み上方に向かって開く筒部４４Ｄ（図５）が形成され、水タンク４２の底にはこの筒部の内径側に係入する筒部４２Ｄ（図７）が形成され、これら両筒部４４Ｄ、４２Ｄの係合周面が液密にシールされている。従って出水弁４６が開くとこれら筒部４４Ｄ、４２Ｄで囲まれた小さい空隙内が水で満たされることになる。
【００４６】
この筒部４４Ｄ、４２Ｄで囲まれた小さい空隙の底には前記水ホース３４（図５）がチェック弁４８を介して接続されている。このため水タンク４２の水が出水弁４６，チェック弁４８，水パイプ３４を介してヒータ３２に導かれ、ヒータ３２で加熱されて沸騰すると湯ホース３６，湯パイプ３８，フィルタ４０を介してお湯受け皿３０に流出する。この時チェック弁４８があるため熱湯は水タンク４２に逆流することはない。ヒータ３２内の水位が下がると水タンク４２から水が供給され、以上の動作を継続する。
【００４７】
次にアイスコーヒー抽出モード（アイス飲料抽出モード）を説明する。このモードではアイスコーヒー抽出用ロート５０をお湯受け皿３０に取付ける一方、仕切壁１４には冷却器５２を載置する。アイスコーヒー抽出用ロート５０は図１，９に示すように、円形の上縁が外側に折り返され、その外周がお湯受け皿３０に係合可能である。例えばロート５０の上縁外周に鉤状に曲がった溝をその上端が上縁に開くように形成する一方、お湯受け皿３０の外周部内面にこの鉤状の溝に係合する突起を形成し、鉤状の溝の上端部分を突起に係合させつつロート５０をお湯受け皿３０に対して上向きに押し込み、ロート５０を僅かに回すことによって鉤状の溝の奥（水平部分）に突起を係合させる結合構造とすることができる。
【００４８】
ロート５０の底には２本のコーヒー液撹拌用の羽根５０Ａが固定され、ロート５０の上縁付近からは３本の氷水撹拌用の羽根となる撹拌棒５０Ｂが固定されている。これら撹拌羽根５０Ａ、撹拌棒５０Ｂは垂直に下方へのび、羽根５０Ａの回転半径は棒５０Ｂの回転半径より小さい。
【００４９】
冷却器５２は有底円筒状のコーヒー液タンク（コーヒー液収容部、抽出液収容部）５２Ａと氷水タンク（冷却液タンク）５２Ｂとを同心に組合せたものであり、コーヒー液タンク５２Ａはアルミニウムなどの熱伝導性のよい金属製である。コーヒー液タンク５２Ａの底は、氷水タンク５２Ｂから３箇所のスペーサ５４（図１、８）で氷水タンク５２Ｂから浮かせて固定される。このため氷水がコーヒー液タンク５２Ａの底面にも接触し、コーヒー液の冷却効果が向上する。なお氷水タンク５２Ｂには、氷水に代えて他の冷却液（例えばジェル状の流体）を入れてもよい。
【００５０】
コーヒー液タンク５２Ａの底の中央部は下方へ陥没して氷水タンク５２Ｂに密着し、この密着した中央部を排出弁５６が貫通している。この排出弁５６には下向きの復帰習性が付与され、上端がシールリング５６Ａ（図１、８）によってコーヒー液タンク５２Ａの排出孔を通常閉じている。この排出弁５６の下端は略逆傘状に形成され、この逆傘状の部分を側方から水平方向にスライド可能なバルブ開閉具５８（図５、６）が押し上げることによって排出弁５６を開き、コーヒー液を下方へ排出することができる。
【００５１】
ここにバルブ開閉具５８は、図５，６に示すように、氷水タンク５２Ｂの底部外周に臨む操作子（開閉釦）６０にロッド６２で結合され、蓋６４によって氷水タンク５２Ｂの底部に装填されている。なお操作子６０、ロッド６２、バルブ開閉具５８は、コイルばねによって外方向（排出弁５６を閉じる方向）への復帰習性が付与されている。
【００５２】
この冷却器５２は、お湯受け皿３０をアイスコーヒー抽出用ロート５０に取付けた状態で前記アイスコーヒー抽出用ロート５０の撹拌羽根５０Ａをコーヒー液タンク５２Ａに、撹拌棒５０Ｂを氷水タンク５２Ｂにそれぞれ上方から進入させて載せ、この状態で全体を仕切壁１４に載せる。この時氷水タンク５２Ｂの底に設けた円形の座５２Ｃ（図１）を仕切壁１４に設けた円形の孔１４Ａに係合させて、冷却器５２の位置を安定させる。５２Ｄは氷水タンク５２Ｂに設けた取っ手である。
【００５３】
この冷却器５２の下方には、飲料液（ホットコーヒー液またはアイスコーヒー液）を受ける容器であるジャグ６６が装填される。このジャグ６６は底部１２の開口１２Ａに取付けられたヒータ３２の円板３２Ｂに断熱マットを介して載せられる。ジャグ６６の蓋６８の中央には凸部６８Ａが突設され、この凸部６８Ａを囲む環状の溝には多数の滴下孔が形成されている。このため冷却器５２の操作子６０を側方から押して排出弁５６を開けば、コーヒー液タンク５２Ａに貯まっているアイスコーヒー液がジャグ６６に流下する。６６Ａはこのジャグ６６に取付けた取っ手である。なお蓋６８の凸部６８Ａは後記するホットコーヒー抽出モードでホットコーヒー抽出用ロート７６の排出弁７８を押し上げて開くものである。
【００５４】
この状態すなわちアイスコーヒー抽出モードでは、お湯受け皿３０をアイスコーヒー抽出口ロート５０に組付けて、撹拌羽根５０Ａおよび撹拌棒５０Ｂを冷却器５２のコーヒー液タンク５２Ａ、氷水タンク５２Ｂに挿入し、全体を仕切壁１４に載せる。そして一体となっているお湯受け皿３０とロート５０とを引き上げてお湯受け皿３０のボス部３０Ａをチャック２６により駆動軸２４にロックする。従ってモータ２２が起動すれば、駆動軸２４と共にお湯受け皿３０およびアイスコーヒー抽出用ロート５０が一体に回転する。
【００５５】
このロート５０に予め紙フィルタおよびコーヒー粉（共に図示せず）をセットしておき、ヒータ３２を発熱させてフィルタ４０からお湯を注入すれば、お湯受け皿３０でお湯は分散されてロート５０に滴下され、抽出されたコーヒー液は冷却器５２のコーヒー液タンク５２Ａに貯まる。氷水タンク５２Ｂには予め氷水を入れておくので、抽出されたコーヒー液はコーヒー液タンク５２Ａで速やかに冷やされる。この時ロート５０と共に撹拌羽根５０Ａ、撹拌棒５０Ｂも回転し、コーヒー液と氷水とを撹拌するから、コーヒー液の冷却効果は非常に大きくなる。
【００５６】
コーヒー抽出が終り、冷却器５２のコーヒー液タンク５２Ａに貯まったコーヒー液が氷水によって十分に冷却されたら、モータ２２を停止させる。そして排出弁５６の操作子６０を側方から押して排出弁５６を開けば、冷えたコーヒー液がジャグ６６に流下する。このジャグ６６を底部１２から取出して中のアイスコーヒーをカップに移せばよい。
【００５７】
次にホットコーヒー抽出モードを主として図４、５、８、１１などを用いて説明する。このモードでは、お湯受け皿３０にスキャッタ７０を取付ける。すなわち前記アイスコーヒー抽出モードで用いたアイスコーヒー抽出用ロート５０に代えて、スキャッタ７０を取付ける。このスキャッタ７０には駆動軸２４（図９，１０）の垂直な回転中心軸（中心線）Ａ（図９、１１）を含む（中心軸Ａが通る）深い凹部７２と、この回転中心軸Ａを含まない（中心軸Ａが通らない）浅い凹部７４とが形成されている。両凹部７２，７４の底は図１１に示すように略階段状に連続する。
【００５８】
これらの底には、それぞれ１つずつの滴下孔７２Ａ、７４Ａが形成されている。回転中心軸Ａに対する滴下孔７２Ａ、７４Ａの半径方向位置Ｒ１、Ｒ２はＲ１＜Ｒ２であり、滴下孔７２Ａの孔径ａは滴下孔７４Ａの孔径ｂよりも小さい（ａ＜ｂ）。
【００５９】
滴下孔７２Ａの半径位置Ｒ１は、後記ロート７６に主として少人数分（１〜２人前）のコーヒー粉を入れる時に、中心付近の比較的狭い半径の円に沿ってお湯を滴下するように設定される。また滴下孔７４Ａの半径位置Ｒ２は、ロート７６に中人数あるいは大人数分のコーヒー粉を入れる時に中心から遠い位置のコーヒー粉にもお湯がかかるように設定される。滴下孔７２Ａ、７４Ａの孔径ａ、ｂは、スキャッタ７０に貯まるお湯の液面（湯面）からの深さの差により生じる液圧が異なることを考慮して、各滴下孔７２，７４から滴下するお湯の分配を最適にするように設定される。
【００６０】
７６はホットコーヒー抽出用ロートである。このロート７６は仕切壁１４の開口１４Ａにロック可能である。例えば開口１４Ａの内周面に形成した鉤状の溝に、ロート７６側に設けた係合突起を係合させロート７６を水平面上に僅かに回動させてロックする構造が可能である。このロート７６の底には排出弁７８が取付けられている。この排出弁７８は、前記冷却器５２の排出弁５６と類似の構造である。
【００６１】
すなわち排出弁７８は下向きの復帰習性を持ち、上端に取付けたシールリングが排出孔を閉じる一方、下端は略逆傘状に形成され、この逆傘状の部分を下から押し上げることにより排出孔を開くものである。なお排出弁７８の下端には、ジャグ６６を仕切壁１４の下方（底部１２の上）に装填した時に、ジャグ６６の蓋６８の凸部６８Ａが下方から接触し、凸部６８Ａの斜面によって排出弁６８を押し上げて自動的に開く。このようにジャグ６６をセットした状態でホットコーヒーの抽出を行う。この時ロート７６は仕切壁１４にロックされているので、ロート７６はジャグ６６によって押上げられ、浮き上がることがない。
【００６２】
このホットコーヒー抽出モードでは、ロート７６に紙フィルタ、コーヒー粉をセットしてからロート７６を仕切壁１４に固定（ロック）する。そしてヒータ３２を発熱させ、熱湯をお湯受け皿３０に注入すれば、お湯はスキャッタ７０に入る。お湯はまず深い凹部７２に入り、滴下孔７２Ａからロート７６の中心付近に滴下する。スキャッタ７０は駆動軸２４と共に回転しているので、ロート７６の中心付近の小さい円上に滴下する。
【００６３】
お湯受け皿３０からロート７６に流入するお湯の量は滴下孔７２Ａからの滴下量より多くなるように設定され、深い凹部７２の液面（湯面）が上昇する。お湯の液面が上昇し浅い凹部７４に広がると、滴下孔７４Ａからもお湯の滴下が始まる。液面がさらに上昇すると両方の滴下孔７２Ａ、７４Ａからお湯が滴下される。
【００６４】
滴下孔７４Ａの半径位置Ｒ２は滴下孔７２Ａの半径位置Ｒ１より大きいので、滴下孔７４Ａから滴下するお湯はロート７６の中心から離れた円上に滴下されることになる。このためロート７６内のコーヒー粉に対してお湯を適切に拡散して滴下できる。このように始めはロート７６の中心付近に多くお湯を注ぎ、コーヒー粉が適度に蒸された後で外周寄りにもお湯が注がれて最適な抽出状態を創出することができ、香りが高く味の良いホットコーヒーを抽出できる。
【００６５】
なおロート７６とスキャッタ７０との間に間隙ができるから（図４参照）、この間隙から操作者はロート７６の中を目視できる。すなわちロート７６の中の泡の発生状況を確認できる。このためコーヒー抽出時の楽しみを増大させることができる。
【００６６】
次に制御部８０を図５，９を用いて説明する。この制御部８０は入力手段８２により設定されるホット・アイスの種類と抽出する人数分（何杯分）とに基づいて、ヒータ３２とモータ２２とを制御する。入力手段８２は、ホット（Ｈ）またはアイス（Ｉ）の別を入力するスイッチ８２Ａ、８２Ｂと、何杯分か（抽出量）を入力するスイッチ８２Ｃとを持つ。制御部８０はスイッチ８２Ａ、８２Ｂのいずれかのオン入力に基づいてホット・アイスの判別を行う。またスイッチ８２Ｃのオン回数によって何杯分か（抽出量）を判別する。
【００６７】
制御部８０は抽出量に応じてヒータ３２の加熱時間を変更することにより、お湯の注入量を制御する。例えば１人分に対してはＴ0時間加熱する時は、２人分なら２Ｔ0、３人分なら３Ｔ0を加熱時間とする。制御部はホット・アイスの種類に対応してお湯の流出量を変えてもよい。例えばアイスで濃く抽出するのが望ましい時には、流出量を少なくするため、ホット抽出時よりも加熱時間を短くする。
【００６８】
制御部８０はホットとアイスでお湯の流出速度を変えてもよい。例えばアイスでは濃く抽出するためにお湯の流出速度を遅くする。そのためにはヒータ３２の温度をホット抽出時より低くすればよい。例えば図４、９に示すようにヒータ温度を検出する温度センサ８４を設け、制御部８０はヒータ温度をフィードバック制御すればよい。
【００６９】
以上の実施例は、ホットコーヒー抽出モードとアイスコーヒー抽出モードとを選択可能にしたものであるが、この実施例で用いた一部の構成をいずれか一方のモード専用に用いるコーヒーメーカーに適用することができる。例えば本体の上部の駆動軸２４に（着脱可能あるいは着脱不可能に）取付けたスキャッタ７０を用いて、ホットコーヒーのみを抽出するコーヒーメーカーとしたり、アイスコーヒーのみを抽出するコーヒーメーカーとすることができる。この場合にはアイスコーヒー抽出用ロートを本体に保持することになるが、ホットコーヒー抽出時と同様にお湯をロート全体に拡散して滴下できると共に、抽出中のロート内の様子を目視確認できることになる。
【００７０】
スキャッタの底は中心付近が深い円錐面、中心付近が深く周辺付近に向かって段状に浅くなる多段階の階段状（２段、３段以上を含む。）とすることができる。滴下孔は同じ深さの位置に１個または複数個設ける。
【００７１】
スキャッタの底を階段状にした場合は、お湯の液面が連続的に変化（低下）するのに対して各段に設けた滴下孔の高さが段階的に不連続に変化することになり、お湯の量と使用する（お湯が滴下する）滴下孔との関連を調整し易くなる。例えば１人分の抽出時に中心付近の深い位置の滴下孔だけを用いてロート周辺のコーヒー粉が無い領域にお湯が落ちるのを防ぎ、多人数分の抽出時にはロートの周辺付近まで広い範囲にお湯を分散して落下させるように調整することができる。
【００７２】
水タンク４２と水タンク装填室４４とに垂直方向に一定寸法離れた段部４２Ｂ、４４Ｂをそれぞれ形成しておく構成は、ホットコーヒーまたはアイスコーヒーの一方のみを抽出する専用コーヒーメーカーにも適用でき、前記した効果が得られる。またこの水タンク４２と水タンク装填室４４の構成はコーヒーメーカー以外の小物電気製品、例えば室内用加湿器、美容機器や暖房ヒータに設けた加湿器などに用いる水タンクや液体タンクなどにも適用できる。
【００７３】
お湯の抽出量をヒータ３２の加熱時間によって制御する構成は、ホットコーヒーまたはアイスコーヒーの専用コーヒーメーカーに適用することができる。この場合はヒータ加熱時間をタイマーで監視すればよく、タイマーはマイクロコンピュータで形成される制御部８０が元々備えているから、構成が複雑にならない。
【００７４】
またアイスコーヒー抽出用ロートに取付けた撹拌羽根５０Ａおよび撹拌棒５０Ｂはアイスコーヒー専用のコーヒーメーカーに適用してもよい。以上のように本実施例に用いた各部構成は、ホット・アイス兼用のコーヒーメーカーだけでなく、ホットまたはアイス専用のコーヒーメーカーに適用できるものである。
【実施例２】
【００７５】
図１２は他の実施例のアイス飲料抽出モードを示す側面図、図１３は同じくホット飲料抽出モードを示す側面図、図１４は同じく撹拌羽根の取付構造を示す側断面図である。この実施例２は、アイス飲料抽出用ロートとホット飲料抽出用ロートとを兼用にしたものである。なお図１２、１３においては前記図１〜１１に示した実施例１と同一部分に同一符号を付したので、その説明は繰り返さない。
【００７６】
この実施例２で用いるアイス・ホット兼用ロート１００は、底部中央に排出弁１０２を持つ。この排出弁１０２は下向きの閉方向に付勢され、下端を押し上げることにより開く。ロート１００の底面には適宜数の撹拌羽根１０４が着脱可能に取付けられている。例えば撹拌羽根１０４の上端に突設した雄ねじ１０４Ａ（図１４）をロート１００底面に設けたねじ孔１０４Ｂに螺入することにより装着可能にする。撹拌羽根１０４のうちの１本１０４Ｃには、その上端から半径方向に突出する突部１０４Ｄが形成されている。この突部１０４Ｄは、この撹拌羽根１０４Ｃをロート１００に取付けた時（図１４の（Ｂ））に排出弁１０２を押上げて、排出弁１０２を開く。また撹拌羽根１０４Ｃをロート１００から取れば、排出弁１０２は下降して閉じる（図１４の（Ａ））。
【００７７】
アイス飲料抽出モードでは、ロート１００に撹拌羽根１０４を装着し、排出弁１０２を開いておく（図１２）。この状態で図１２のようにセットすれば、撹拌羽根１０４は抽出液タンク５２Ａに上方から進入する。このためロート１００から排出弁１０２を通って滴下するホット抽出液は、この抽出液タンク５２Ａにたまる。そしてこの抽出液は撹拌羽根１０４により攪拌されてその冷却が促進される。
【００７８】
ホット飲料抽出モードでは、撹拌羽根１０４を全て取外し、仕切壁１４に載せる。この時ロート１００は、ロート１００に設けた複数の脚１０６が仕切壁１４に当たってその高さが決められる。なおこの脚１０６の長さは、本体１０の底部１２にジャグ６６を載せた時にジャグ６６の蓋６８に設けた凸部６８Ａが排出弁１０２を開くように設定される。
【００７９】
従ってこのホット飲料抽出モードでは、スキャッタ７０からお湯がロート１００に滴下され、このロート１００で抽出された抽出液は排出弁１０２からジャグ６６に流入する。
【実施例３】
【００８０】
図１５は他の実施例を示す側断面図である。この実施例３はお湯受け皿３０の回転駆動機構が前記の各実施例１、２と異なる。すなわちお湯受け皿２３０をチャック２２６によって回転自在に保持する一方、回転駆動部としてのモータ２２２により水平な駆動軸２２４を回転し、この駆動軸２２４に固定した駆動ローラ２２２Ａをお湯受け皿２３０の上面の外周付近に転接させたものである。
【００８１】
なおチャック２２６はお湯受け皿２３０を垂直な回転中心軸回りに遊転可能に吊り下げ、お湯受け皿２３０はこのチャック２２６から着脱可能である。図１５はアイス飲料抽出モードを示すものであり、前記１〜１４に示した実施例１、２と同一部分に同一符号を付したのでその説明は繰り返さない。この図１５においてホット飲料抽出モードに変更するためには、前記図３、１３に示したようにスキャッタをお湯受け皿２３０に取付け、冷却器５２に代えてホット飲料抽出用ロートを仕切壁１４に保持すればよい。
【図面の簡単な説明】
【００８２】
【図１】本発明の一実施例であるコーヒーメーカーのアイスコーヒー抽出モードを示す側断面図
【図２】同じく背面図
【図３】同じく平面図
【図４】同じくホットコーヒー抽出モードを示す側断面図
【図５】このコーヒーメーカーの本体部分の分解斜視図
【図６】チャック、お湯受け皿およびアイスコーヒー抽出用ロートの分解斜視図
【図７】水タンクの分解斜視図
【図８】冷却器等の分解斜視図
【図９】全体の概念図
【図１０】駆動軸のチャック付近の拡大断面図
【図１１】スキャッタの断面図
【図１２】他の実施例のアイス飲料抽出モードを示す側断面図
【図１３】同じくホット飲料抽出モードを示す側断面図
【図１４】撹拌羽根の取付構造を示す側断面図
【図１５】他の実施例を示す側断面図
【符号の説明】
【００８３】
１０  本体
１２  底部
１４  仕切壁
１６  上壁部
１８  起立部
２２、２２２  モータ（回転駆動部）
２４、２２４  駆動軸
２６、２２６  チャック
３０  お湯受け皿
３２  ヒータ
４０  フィルタ
４２  水タンク
４２Ａ  凸部
４２Ｂ、４４Ｂ  段部
４４  水タンク装填室
４４Ａ  凹部
４６  水タンク用出水弁
４８  チェック弁
５０  アイスコーヒー抽出用ロート（アイス飲料抽出用ロート）
５０Ａ、５０Ｂ  撹拌羽根（撹拌棒）
５２  冷却器
５２Ａ  コーヒー液収容部（コーヒー液タンク、抽出液収容部）
５２Ｂ  氷水タンク（冷却液タンク）
５６  アイスコーヒー用排出弁（アイス飲料用排出弁）
６０  操作子
６６  ジャグ（飲料液を受ける容器）
６８  蓋
６８Ａ  凸部
７０  スキャッタ
７６  ホットコーヒー抽出用ロート（ホット飲料抽出用ロート）
７８  ホットコーヒー用排出弁（ホット飲料用排出弁）
８０  制御部
８２  入力手段
８４  温度センサ
１００  アイス・ホット兼用の抽出用ロート
１０２  排出弁
１０４、１０４Ｃ  撹拌羽根
Ａ  駆動軸の垂直な回転中心軸（中心線）  
【図１】
2007054609.tif 000003
【図２】
2007054609.tif 000004
【図３】
2007054609.tif 000005
【図４】
2007054609.tif 000006
【図５】
2007054609.tif 000007
【図６】
2007054609.tif 000008
【図７】
2007054609.tif 000009
【図８】
2007054609.tif 000010
【図９】
2007054609.tif 000011
【図１０】
2007054609.tif 000012
【図１１】
2007054609.tif 000013
【図１２】
2007054609.tif 000014
【図１３】
2007054609.tif 000015
【図１４】
2007054609.tif 000016
【図１５】
2007054609.tif 000017